(57)【要約】【課題】植栽コンテナ間の隙間を覆って植栽コンテナの育成材の落下を防止すると共に、並設する植栽コンテナの分離を防止する。【解決手段】側壁１０２と底板１０１を有し、側壁１０２の上端近傍から外方へ突出する水平片１０５が側壁１０２に沿って形成され、水平片１０５の切欠部１０９の位置で側壁１０２の内側に連結孔１０５が設けられる植栽コンテナ１００を並設し、近接する側壁１０２・１０２を挟んで配置される連結孔１０８・１０８の上端開口１０８ｂ・１０８ｂに側片１１０ｂ・１１０ｂを装入して断面視略コ字形の連結部材１１０を取り付けて植栽コンテナ１００・１００相互を連結すると共に、一方の植栽コンテナ１００の水平片１０５を他方の植栽コンテナ１００の側壁１０２の上端に外被する。【選択図】図４
2007167018.tif 000002
【特許請求の範囲】
【請求項１】
側壁と底板を有し、該側壁上端近傍から外方へ突出する突出片を該側壁に沿って形成し、該突出片を、隣に配置される他の植栽コンテナの側壁への略全長に亘る係合が不能で、且つ該他の植栽コンテナの側壁上端を外被可能に設けることを特徴とする植栽コンテナ。
【請求項２】
側壁と底板を有し該側壁上端近傍から外方へ突出する突出片が該側壁に沿って形成される植栽コンテナを並設し、一の植栽コンテナの突出片を、隣に配置される他の植栽コンテナの側壁への略全長に亘る係合をせずに、該他の植栽コンテナの側壁上端に外被することを特徴とする植栽設備。
【請求項３】
前記突出片に切欠部を形成し、該切欠部に隣り合う植栽コンテナ相互を連結する連結部材を取り付けることを特徴とする請求項２記載の植栽設備。
【請求項４】
前記連結部材の側片で隣り合う植栽コンテナの側壁上端近傍を挟むように連結部材を取り付け、前記取り付けた連結部材の上面を前記植栽コンテナの突出片の上面と略面一とすることを特徴とする請求項３記載の植栽設備。
【請求項５】
側壁と底板を有し、該側壁の上端近傍と隣に配置される他の植栽コンテナ側壁の上端近傍とを挟む連結部材の側片の一方が装入される連結受部を該側壁に設けることを特徴とする植栽コンテナ。
【請求項６】
側壁と底板を有し該側壁に連結受部が設けられる植栽コンテナを並設し、隣り合う植栽コンテナ側壁の連結受部に、一の植栽コンテナの側壁上端近傍と他の植栽コンテナの側壁上端近傍とを挟む連結部材の側片をそれぞれ装入して、植栽コンテナ相互を連結することを特徴とする植栽設備。
【発明の詳細な説明】
【技術分野】
【０００１】
本発明は、例えばビルの屋上、テラス、ベランダ、折板屋根等の緑化に用いられる植栽設備及び植栽コンテナに関する。
【背景技術】
【０００２】
現代社会における都市部には自然が不足しているが、人間の自然に対する希求に応えて自然不足を補うべく、都市部における緑化対策が図られている。かかる緑化対策は、例えばビルの屋上、ベランダ、テラスなど人工地盤や、折板屋根など建物の屋根等を人工的に緑化することで行われている。緑化対策に用いられる植栽設備には様々なものがあるが、施工性の良さから、植栽コンテナを並べて敷設面に敷設する植栽設備が主流になりつつある。
前記植栽コンテナを並べて敷設面に敷設する植栽設備を開示している先行技術文献に特許文献１がある。特許文献１には、方形箱体の連続する二辺の側壁のほぼ全長に亘り側壁に沿って側壁上端に設けられる掛止部と、対側の他の二辺の側壁のほぼ全長に亘り側壁に沿って側壁上端に設けられる凹入部とが形成されている植栽コンテナ（組立函）を用い、植栽コンテナの掛止部を隣接する他の植栽コンテナの凹入部に掛止して植栽コンテナを並設する植栽設備が開示されている。
【０００３】
【特許文献１】特開２００３−２７４７５９号
【発明の開示】
【発明が解決しようとする課題】
【０００４】
ところが、特許文献１の植栽設備は、植栽コンテナの側壁上端のほぼ全長に亘り側壁に沿って設けられる掛止部と凹入部を掛止して隣接する植栽コンテナを並設する構成であるため、敷設面に不陸がある場合に、掛止部と凹入部の掛止ができない箇所或いは掛止が不十分な箇所を生じ、前記箇所から植栽コンテナ間の隙間へ植栽コンテナの土壌が落下してしまうという不具合がある。また、前記掛止ができない箇所等が生ずることで、植栽コンテナが分離してしまうという不具合を生ずる。
【０００５】
本発明は上記不具合に鑑み提案するものであって、植栽コンテナ間の隙間を覆って植栽コンテナの育成材の落下を防止することができる植栽設備及び植栽コンテナを提供することを目的とする。また、他の目的は、並設する植栽コンテナの分離を防止することができる植栽設備及び植栽コンテナを提供することを目的とする。
【課題を解決するための手段】
【０００６】
本発明の植栽コンテナは、側壁と底板を有し、該側壁上端近傍から外方へ突出する突出片を該側壁に沿って形成し、該突出片を、隣に配置される他の植栽コンテナの側壁への略全長に亘る係合が不能で、且つ該他の植栽コンテナの側壁上端を外被可能に設けることを特徴とする。また、本発明の植栽設備は、側壁と底板を有し該側壁上端近傍から外方へ突出する突出片が該側壁に沿って形成される植栽コンテナを並設し、一の植栽コンテナの突出片を、隣に配置される他の植栽コンテナの側壁への略全長に亘る係合をせずに、該他の植栽コンテナの側壁上端に外被することを特徴とする。例えば平面視略多角形で箱形の植栽コンテナの側壁上端に外方へ屈曲延設する板状の水平片等の突出片を設け、その突出片が隣接する植栽コンテナの側壁上端を覆うようにする。尚、前記突出片は、前記水平方向へ延びる板状の水平片の他、例えば上方へ凸の略半円形で板状の曲片若しくは略半円形で中実棒状に延びる突出片等とすることが可能である。
また、本発明の植栽設備は、前記突出片に切欠部を形成し、該切欠部に隣り合う植栽コンテナ相互を連結する連結部材を取り付けることを特徴とする。前記連結部材は、例えば隣接する植栽コンテナ側壁の上端近傍を挟持する挟持片を有する断面視略Ｕ字形で短尺チャネル部材の連結部材や、或いは棒状で前記断面視略Ｕ字形の連結部材や、或いはその他の隣接する側壁上端近傍に係合する連結部材等を用いることが可能である。
また、本発明の植栽設備は、前記連結部材の側片で隣り合う植栽コンテナの側壁上端近傍を挟むように連結部材を取り付け、前記取り付けた連結部材の上面を前記植栽コンテナの突出片の上面と略面一とすることを特徴とする。尚、連結部材の上面を植栽コンテナの突出片の上面より高く或いは低くすることも可能であり、例えば断面視略Ｕ字形の側片を有する連結部材の上板上面の高さを水平片の上面の高さ以下若しくは高さ未満、或いは上板上面の高さを水平片の上面の高さ以上若しくは高さ超とすることが可能である。更に、前記連結部材の上面の高さは植栽コンテナの側壁上端の高さ以上若しくは側壁上端の高さ超とすると好適である。更に、連結部材は切欠部内で取付可能とし、且つその長さを切欠部の幅と略同一とすると、連結部材で切欠部を覆えるので好適である。
また、本発明の植栽コンテナは、側壁と底板を有し、該側壁の上端近傍と隣に配置される他の植栽コンテナ側壁の上端近傍とを挟む連結部材の側片の一方が装入される連結受部を該側壁に設けることを特徴とする。また、本発明の植栽設備は、側壁と底板を有し該側壁に連結受部が設けられる植栽コンテナを並設し、隣り合う植栽コンテナ側壁の連結受部に、一の植栽コンテナの側壁上端近傍と他の植栽コンテナの側壁上端近傍とを挟む連結部材の側片をそれぞれ装入して、植栽コンテナ相互を連結することを特徴とする。例えば平面視略多角形若しくは円形等の周壁を構成する平面視直線状或いは曲線状の側壁を有する植栽コンテナで、連結受部として側壁に下端が植栽コンテナ外へ開放している連結孔を設け、前記連結孔に連結部材の側片を装入する構成等とする。前記連結孔の周壁の上端は、植栽コンテナに充填される育成材の上面と同一平面内に存在する高さで設ける、或いは前記育成材の上面より僅かに高くして設けると好適である。また、前記連結孔は、植栽コンテナの外側或いは内側に開放することが可能である。また、連結孔は側壁の内側に設けると好適であるが、外側に設ける構成とすることも可能である。
尚、本願の発明には、各発明や実施例の部分的な構成を他の発明や実施例等の構成に変更し、或いは各発明や実施例の構成に他の構成を付加し、或いは各発明や実施例の部分的な構成を部分的な作用効果が得られる限度で削除して上位概念化したものも含まれる。
【発明の効果】
【０００７】
本発明の植栽コンテナ或いは植栽設備は、植栽コンテナ側壁の略全長に亘る係合を行わずに、一方の植栽コンテナの側壁に沿って外方へ突出する突出片で他の植栽コンテナの側壁上端を外被することにより、例えば敷設面の不陸で側壁の係合が外れて植栽コンテナ間の隙間が露出するようなことがなく、確実に植栽コンテナ間の隙間を覆って、植栽コンテナの育成材が前記隙間に落下することを防止できる。更に、植栽コンテナを敷設面に並設した後に各植栽コンテナへ育成材を充填する施工方法を用いる場合、隣り合う植栽コンテナの側壁の略全長に亘る係合をする構成では、施工時に於ける植栽コンテナ間の隙間への育成材の落下が不十分な係合によって著しくなるが、本発明では斯かる不具合を解消でき、施工性を向上することができる。
【０００８】
また、隣接する一の植栽コンテナの側壁上端近傍と他の植栽コンテナの側壁上端近傍とを挟む側片を有する構成等の連結部材で植栽コンテナ相互を連結することにより、植栽コンテナ相互の連結の安定性を高め、植栽コンテナの分離を防止することができる。更に、予め育成材を充填した植栽コンテナを敷設面に並設する施工方法を用いる場合、隣り合う植栽コンテナの側壁の略全長に亘る係合をする構成では、施工時に於いて土壌が邪魔になって係合できない或いは係合が困難となるという不具合を生ずるが、本発明では切欠部や連結受部の近傍など側壁の部分的な箇所で連結部材で連結することにより前記不具合を解消でき、施工性を向上することができる。更に、連結部材と突出片の両構成により、何れの施工方法を用いる場合にも施工性を向上することができる。
また、取り付けた連結部材の高さを植栽コンテナの突出片の高さと略同一となる連結部材や、切欠部の幅と長さがと略同一な連結部材を用い、これらの連結部材を切欠部に設けることにより、植栽設備の美観を高めることができる。
【発明を実施するための最良の形態】
【０００９】
以下、本発明について実施例の植栽コンテナや植栽設備に基づき説明するが、本発明は以下の実施例や例示に限定されるものではなく、各実施例や例示の構成を適宜組み合わせたものも本発明に含まれる。
【実施例１】
【００１０】
第１実施例の植栽コンテナ１００は、図１に示すように、底板１０１と略鉛直に立設する側壁１０２とを有する上方開放の略方形箱形であり、底板１０１の四隅には下方へ突出する底面視Ｌ字形の支持脚１０３が側壁１０２と連続するように形成されており、支持脚１０３が底板１０１を敷設面２００から浮かして支持することにより、底板１０１と敷設面２００との間に排水路及び空気流通路として機能する空間が形成される。底板１０１の所定箇所には複数のスリット状の通水兼通気孔１０４が形成され、通水兼通気孔１０４は、上方からの降雨や潅水等による余剰水を前記底板１０１と敷設面２００との間の空間へ排出可能であると共に、前記空間から新鮮な空気を植栽コンテナ１００内の植物の根へ導入可能である。また、一方の隣り合う２辺の側壁１０２・１０２のそれぞれの上端には、側壁１０２に沿って外方へ屈曲延設される突出片が設けられており、本実施例の突出片は外方へ水平に突出する板状の水平片１０５で、側壁１０２の上端に一体形成されている。水平片１０５は、他方の隣り合う２辺の側壁１０２・１０２のそれぞれの上端よりも上方に位置し、水平片１０５の下面が、前記他方の側壁１０２の上端と同一高さか、或いは僅かに高い位置となるように形成されている。尚、本実施例の植栽コンテナ１００は樹脂成形で形成したが、本発明の植栽コンテナは例えば樹脂製、木製、石製、鋼製など適宜の材料で形成することが可能である。
植栽コンテナ１００内には、図２に示すように、施工現場若しくは工場等で育成材１０６を充填し、育成材１０６上に切芝など植栽マットを載置する或いは育成材１０６内に植栽する等で、育成材１０６に植物１０７を植栽する。使用する育成材１０６は適宜であるが、屋上或いはベランダ等に植栽コンテナ１００を敷設する場合には出来るだけ軽量なものが好ましく、例えばパーライト、バーミキュライト、ピートモス、バーク堆肥、チャフコン、木質腐朽有機物、ゼオライト等、建築廃材、下水又は浄水汚泥等、或いは椰子繊維等を用いる。また、前記例示の育成材の内の数種類や、必要に応じて根腐れ防止用の珪酸塩白土などを植栽の種類、環境などに応じて適宜選定し、これを保水性、排水性、通気性を良好にするためバランスよく配合した軽量育成材等としてもよく、斯様な通気性等が良好な軽量育成材を採用することにより、植物１０７の根が傷むことを防止できる。更に、軽量育成材による荷重は例えば従来の客土の約１／３程度であり、軽量育成材を用いることで敷設面２００への荷重付加を軽減することができる。また、植物１０７には、芝生など地被植物等とすると、踏圧に耐えられ植栽コンテナ１００内に人が出入り可能になって好適であるが、セダムなどの多肉植物、コケ、蔓性植物、樹木や花など適宜選択して使用するなど、適宜の植物を用いることが可能である。
そして、図２に示すように、支持脚１０３の下端の略全体を敷設面２００に面接触させて、植栽した一の植栽コンテナ１００を敷設面２００に敷設する。更に、前記敷設した植栽コンテナ１００の水平片１０５が形成されていない側壁１０２の上端上に、水平片１０５を載置する等で被せるように隣の植栽コンテナ１００を敷設し、植栽コンテナ１００・１００を隣接若しくは近接して並べて配置する。水平片１０５は、植栽コンテナ１００の側壁１０２の上端近傍の厚さと隣接配置される植栽コンテナ１００・１００間に形成される隙間若しくは形成され得る隙間の距離とを合わせた以上の突出長さを有するものとし、植栽コンテナ１００・１００間の隙間と一の植栽コンテナ１００の水平片１０５がない側壁１０２の上端の上側は、隣の植栽コンテナ１００の水平片１０５で覆われる。同様に、水平片１０５のない側壁１０２の上端上に水平片１０５を被せるようにして、複数の植栽コンテナ１００を縦横に並べて敷設し、植栽コンテナ１００を並設した植栽設備を構成する。
尚、前記施工手順とは逆に、各植栽コンテナ１００を敷設面２００に敷設した後に、並設した各植栽コンテナ１００に育成材１０６を充填して植栽してもよい。その他に、植栽コンテナ１００に工場などで予め育成材１０６を充填し、育成材１０６が充填された植栽コンテナ１００を敷設面２００に並べて敷設し、その後に切芝を育成材１０６上に載置するなど各植栽コンテナ１００に植物１０７を植栽するなど適宜の施工手順を用いて植栽設備を構成することが可能である。
【００１１】
上記第１実施例の植栽コンテナ１００や植栽コンテナ１００による植栽設備を用いることにより、植栽コンテナ１００・１００相互間に形成される隙間の上方を確実に覆うことが可能であり、植栽コンテナ１００・１００相互間の隙間へ育成材１０６が落下することを防止できる。特に、前記隙間を覆うのが側壁１０２の略全長に亘る係合が不要な水平片１０５であるため、敷設面２００に不陸がある場合にも、前記隙間を確実に覆って育成材１０６の落下を防止できる。更に、支持脚１０３で支持する構成とすることにより、敷設面２００の不陸の影響を一層弱めることが可能であり、前記育成材１０６の落下防止等の効果は一層顕著となる。また、他の植栽コンテナ１００の水平片１０５を一の植栽コンテナ１００の側壁１０２の上端に被せる構成であるから、一の植栽コンテナ１００内に予め育成材１０６が充填されている場合にも、育成材１０６が一と他の植栽コンテナ１００・１００の隣接配置の邪魔になることが無く、植栽コンテナ１００の並設作業を容易に行うことができる。
【実施例２】
【００１２】
次に、第２実施例の植栽コンテナ１００やその植栽設備について、第１実施例と異なる箇所の詳細を説明する。
【００１３】
第２実施例の植栽コンテナ１００は、第１実施例と同様に、底板１０１、側壁１０２、支持脚１０３、通水兼通気孔１０４、水平片１０５を有する（図３参照）。そして、図５に示すように、水平片１０５が形成されていない側壁１０２の上端近傍の略中央と、水平片１０５が形成されている側壁１０２の上端近傍の略中央には、連結受部として、縦断面視略Ｌ字形で略長方形の孔形状で貫通する連結孔１０８が形成されており、水平片１０５を有する側壁１０２の連結孔１０８に対応する箇所では、水平片１０５の一部が切り欠かれて切欠部１０９が設けられている。連結孔１０８は、側壁１０２の内側の突出部１０８ａの上端に上方へ開口する平面視略長方形の上端開口１０８ｂ、側壁１０２の外面の側壁１０２上端より若干下方の位置に側方へ開口する側面視略長方形の下端開口１０８ｃを有し、上端開口１０８ｂから下方へ進み、外方へ屈曲して下端開口１０８ｃに抜けるように貫通している。尚、上端開口１０８ｂは切欠部１０９と略同一幅で開口している。
第２実施例の植栽コンテナ１００には、第１実施例と同様に、図４に示すように、育成材１０６の充填と植物１０７の植栽を施し、更に、一の植栽コンテナ１００の水平片１０５が形成されていない側壁１０２の上端に、水平片１０５を被せるようにして他の植栽コンテナ１００を並設し、植栽コンテナ１００・１００を隣接若しくは近接配置する。前記隣接配置により、図４及び図６に示すように、切欠部１０９の箇所に於いて、隣接若しくは近接する二側壁１０２・１０２を挟んで両側に２つの連結孔１０８・１０８の上端開口１０８ｂ・１０８ｂが配置され、側方の下端開口１０８ｃ・１０８ｃが接触若しくは植栽コンテナ側壁１０２・１０２相互の隙間を挟んで近接し、前記連結孔１０８・１０８は縦断面視略コ字形で略連通する（図４（ｂ）参照）。
前記二側壁１０２・１０２の両側の上端開口１０８ｂ・１０８ｂには、正面視略コ字形で短尺のチャネル部材である連結部材１１０の両側の側片１１０ｂ・１１０ｂを挿入し、切欠部１０９に連結部材１１０を配設して、隣り合う植栽コンテナ１００・１００相互を連結する。連結部材１１０は、切欠部１０９の幅と略同一長さを有し、上板１１０ａと、上板１１０ａの両側から下方へ延びる側片１１０ｂと、側片１１０ｂの下端近傍から内方に突出する係止片１１０ｃとを備え、切欠部１０９に於ける二つの側壁１０２・１０２の上端や側壁１０２・１０２間の隙間を上板１１０ａで覆うように設けられる。連結部材１１０の上板１１０ａの厚さは水平片１０５の厚さより僅かに薄くなっており、切欠部１０９で取り付けられた連結部材１１０の上端に相当する上板１１０ａの上面は、水平片１０５の上面より僅かに低い位置に配置される。また、連結部材１１０の側片１１０ｂの長さは、連結孔１０８の上端開口１０８ｂから下方へ延びる深さと略同一の長さとなっており、前記両側の上端開口１０８ｂ・１０８ｂに挿入された側片１１０ｂ・１１０ｂの係止片１１０ｃ・１１０ｃはそれぞれ連結孔１１０の外方への屈曲部に係止される。尚、連結部材１１０は、例えば樹脂製、鋼板製など適宜の材料で形成することが可能であるが、バネ性・弾性を有する形状や素材とすると、連結作業が容易となって好適である。
そして、敷設面２００に縦横に並設した植栽コンテナ１００について、各切欠部１０９の箇所に配置される連結孔１０８・１０８に連結部材１１０の側片１１０ｂ・１１０ｂを挿入し、各隣り合う植栽コンテナ１００・１００相互を連結して植栽設備を構成する。
上記第２実施例の植栽コンテナ１００やその植栽設備を用いることにより、育成材１０７の落下防止など第１実施例と同様の効果が得られると共に、切欠部１０９に於いても植栽コンテナ１００・１００相互の隙間の上方を覆うことができる。更に、連結部材１１０で植栽コンテナ１００・１００相互を連結することにより、植栽コンテナ１００の移動や分離を防止することができる。また、連結孔１０８が両端開口の貫通孔であることから、連結孔１０８内に育成材１０６が入った場合にも容易に取り出すことが可能であり、施工性も向上する。また、連結孔１０８は植栽コンテナ側壁１０２から外方へ突出する部分を有さずに形成され、側壁１０２・１０２相互間に突出部分が無いことから、側壁１０２・１０２相互を密接或いは若干の隙間を空けて近接することが可能であり、植栽設備の美観を維持することができる。また、連結孔１０８の突出部１０８ａが側壁１０２に沿って形成することにより、植栽コンテナ１００の強度を高めることができる。
【００１４】
以上、本発明の第１〜第５実施例について説明したが、本発明はその他に、例えば以下のような拡張や変形を包含する。
【００１５】
上記第２実施例では、植栽コンテナ１００の略鉛直に立設する側壁１０２に連結孔１０８を設ける場合について説明したが、側壁１０２の形状は適宜であり、又、連結孔１０８の構成も本発明の連結部材を取付可能なものであれば適宜である。例えば図７（ａ）に示すように、上方へ向かって拡がるテーパ状の側壁１０２とし、その側壁１０２の上端近傍に形成される内方への突出部１０８ａに略鉛直方向に貫通する連結孔１０８を設け、連結孔１０８が突出部１０８ａの上端開口１０８ｂからテーパ状の側壁１０２の下端開口１０８ｃまで抜ける構成や、或いは図７（ｂ）に示すように、側壁１０２を上部に略鉛直面、下部を内向きへこみ部１０２ａが形成された形状とし、その側壁１０２の上端近傍に形成される内方への突出部１０８ａに略鉛直方向に貫通する連結孔１０８を設け、連結孔１０８が突出部１０８ａの上端開口１０８ｂから側壁１０２の内向きへこみ部１０２ａの上端近傍の下端開口１０８ｃまで抜ける構成等としてもよい。図７の連結孔１０８のように、連結孔１０８が略鉛直方向に貫通する構成とすると、連結孔１０８に入った育成材１０６が自然に落下して連結孔１０８内に溜まることが無くなり、連結部材１１０の連結孔１０８への装入等の施工性をより高められる。
【００１６】
また、上記第２実施例では、連結孔１０８への取付時の連結部材１１０の上板１１０ａの上面を水平片１０５の上面より僅かに低い位置に配置する構成としたが、連結部材１１０の上面と水平片１０５の上面の何れを高い位置に配置するかは適宜であり、連結部材１１０の上面を水平片１０５の上面と略面一とする構成や、或いは連結部材１１０の上面を水平片１０５の上面より僅かに高い位置に配置する構成等とすることが可能である。好適には、図８（ａ）に示すように、連結孔１０８に取り付けた状態の連結部材１１０の上板１１０ａの上面と水平片１０５の上面とが略同一平面状となるようにするとよく、連結部材１１０で連結した植栽設備の美観を高められる。更に、図８（ｂ）に示すように、連結孔１０８に取り付けた状態の連結部材１１０の上板１１０ａの上面と水平片１０５の上面とが略面一となるようにすると共に、連結部材１１０の上板１１０ａの一方の側端から上板１１０ａと同一厚さで水平方向に外方に突出する、換言すれば上板１１０ａを延長する形状の水平凸部１１０ｄを設け、連結部材１１０を連結孔１０８に取り付けた状態で水平凸部１１０ｄの先端が水辺片１０５の先端と同一位置に配置されるように水平凸部１１０ｄの長さを設定すると、連結部材１１０と水平片１０５の一体性を高めてより美観を向上することができ、より好適である。
【００１７】
また、図９に示すように、連結孔１０８の突出部１０８ａの内壁１０８ｄの上端を側壁１０２の上端よりも高くする構成とすると、内壁１０８ｄで連結孔１０８への育成材１０６の進入を防止できて好適であり、更に、内壁１０８ｄの上端と水平片１０５の上面とが略面一になる構成や、連結部材１１０の上板１１０ａの厚さを内壁１０８ｄ上端と側壁１０２上端の高さの差と略同一とし、連結部材１１０の上板１１０ａの上面が内壁１０８ｄの上端や水平片１０５の上面と略面一になるようにする構成とすると、美観も高められてより好適である。
また、図１０に示すように、連結孔１０８近傍若しくは切欠部１０９近傍の水平片１０５を上面が低くなった薄肉部１０５ａとすると共に、連結部材１１０の上板１１０ａの側片１１０ｂを有しない方の両端部から上面が上板１１０ａ上面と面一である突出部１１０ｆをそれぞれ設け、突出部１１０ｆの厚さを薄肉部１０５ａの上面と薄肉部１０５ａではない水平片１０５の上面との差と略同一とし、連結孔１０８に連結部材１１０を取り付ける際に、突出部１１０ｆを薄肉部１０５ａ上に載置係合し、切欠部１０９に於ける連結部材１１０と水平片１０５との間の隙間の上方を突出部１１０ｆで覆う構成とすると、育成材１０６の落下をより確実に防止できると共に、載置状態で水平片１０５の上面が突出部１１０ｆの上面や上板１１０ａの上面と略面一となるようにすることで、美観を高められる。尚、上板１１０ａや突出部１１０ｆの上面を薄肉部１０５ａ以外の水平片１０５の上面より高く或いは低くする構成とすることも可能である。
【００１８】
また、連結孔１０８、連結部材１１０を設ける位置は上記実施例に限定されず、例えば図１１に示すように、植栽コンテナ１００の四隅に連結孔１０８を設けると共に、連結孔１０８が上方に露出するように切欠部１０９を設け、４つの植栽コンテナ１００の連結孔１０８が４つ集合する箇所に於いて、連結部材１１０の上板１１０ａから下方に突出する４つの突起１１０ｇをそれぞれ連結孔１０８に装入し、４つの突起１１０ｇを有する連結部材１１０を設置し、更に、必要に応じて、上板１１０ａから２つの突起１１０ｇが下方に突出する連結部材１１０を用い、２つの植栽コンテナ１００の連結孔１０８が２つ集合する箇所に於いて、２つの突起１１０ｇを２つの連結孔１０８にそれぞれ装入し、２つの突起１１０ｇを有する連結部材１１０を設置する構成等とすることが可能である。また、連結孔１０８、連結部材１１０を設ける数は適宜であり、例えば平面視略方形の植栽コンテナ１００の１つの側壁１０２の上端近傍に連結孔１０８を２つ以上設け、各連結孔１０８に連結部材１１０を設ける構成等とすることが可能である。
【００１９】
また、短尺のチャネル部材である連結部材１１０は、図１２（ａ）に示すように、上板１１０ａの側片１１０ｂを有しない２辺間に延びる略Ｖ字形等の溝１１０ｈを上板１１０ａ上面の略中央位置に形成し、上板１１０ａが溝１１０ｈの形成箇所で薄肉になっている構成や、図１２（ｂ）に示すように、溝１１０ｈを上板１１０ａの上面と下面の対応する位置に形成し、上板１１０ａが上下の溝１１０ｈ・１１０ｈの形成箇所で薄肉になっている構成等としてもよい。前記溝１１０ｈによる薄肉部分を設けることにより、連結部材１１０で連結して並設した植栽コンテナ１００を撤去或いは移設する際に、ナイフ等で芝生等と一緒に前記薄肉部分で連結部材１１０を切断して植栽コンテナ１００を撤去或いは移設することが可能となり、施工性が向上する。特に、植栽コンテナ１００を連結している連結部材１１０の溝１１０ｈ或いは前記薄肉部分の位置は、側壁１０２・１０２の接触面或いは側壁１０２・１０２間の隙間の上方に配置するようにすると、ナイフ等を側壁１０２・１０２相互間に簡単に入り込ませることが可能となり、連結部材１１０や芝生等の切断や植栽コンテナ１００の分離等の作業を一層容易化することができる。
【００２０】
また、連結孔１０８は、連結部材１１０の側片１１０ｂが挿通される上端開口１０８ｂを有し、下端開口１０８ｃを有しない下端が閉塞した凹状の孔とすることも可能である。また、連結部材１１０の両側片１１０ｂ・１１０ｂは、取付時に側片１１０ｂ・１１０ｂ間に挟む二側壁１０２・１０２を挟持する構成としてもよい。また、別部材の連結部材１１０を用いる構成に代え、例えば植栽コンテナ１００の側壁１０２上端から外方へ延びて下方へ屈曲する断面視略Ｌ字形の連結部を一体的に設け、隣接する一方の植栽コンテナ１００の前記連結部の下方への屈曲片を、他方の植栽コンテナ１００の上記と同様に形成された連結孔１０８に装入して植栽コンテナ１００・１００相互を連結する構成等としてもよい。
また、上記実施例の植栽コンテナ１００は平面視略正方形としたが、本発明の植栽コンテナは適宜の平面視形状を有する植栽コンテナとすることが可能であり、例えば三角形、長方形や菱形等の四角形、六角形など平面視多角形の植栽コンテナや、或いは側壁が弧状に形成される平面視略円形や平面視略楕円形の植栽コンテナ、或いは平面視で円弧状の凸曲面の側壁と円弧状の凹曲面の側壁と直線状の側壁で周壁が構成される植栽コンテナ等とすることが可能である。尚、平面視弧状の側壁の場合の水平片１０５等の突出片は前記側壁の形状に倣って平面視弧状に形成するとよい。
【００２１】
また、本発明の植栽設備は、植栽コンテナ１００を敷設面２００に直接敷設する構成に限定されず、例えば植栽コンテナ１００と敷設面２００との間に貯水トレー等の貯水部や保水シート等の保水部を設け、降雨や潅水などの余剰水を貯水部や保水部に貯め、水分が不足した際に育成材１０６の毛細管現象の吸水等で植栽コンテナ１００内に貯水部や保水部から水分を供給する構成等としてもよい。前記構成により、水分管理が容易となると共に、育成材１０６の落下防止によって貯水可能量や保水可能量の減少を防止することができ、育成材１０６の落下防止の重要度が増すこととなる。尚、一つの植栽コンテナに一つの貯水トレーを設ける等、複数の貯水部や保水部を設ける場合、貯水部或いは保水部は、係合片相互の係合や係合部材の側壁への係合等で相互に連結する構造とすると、植栽設備の設置状態を一層安定することができて好適である。また、連結部材１１０で植栽コンテナ１００を連結する植栽設備は、設置状態の安定性が非常に高いことから、折板屋根など風圧を強く受ける箇所へ設置する植栽設備として好ましいものである。
【産業上の利用可能性】
【００２２】
本発明は、例えば屋上、ベランダ、折板屋根等に設置する植栽設備に利用することができる。
【図面の簡単な説明】
【００２３】
【図１】（ａ）は第１実施例の植栽コンテナの平面図、（ｂ）は同図（ａ）の植栽コンテナの正面図、（ｃ）は同図（ａ）の植栽コンテナのＡ−Ａ矢視断面図。
【図２】（ａ）は第１実施例の植栽コンテナによる植栽設備の平面図、（ｂ）は同図（ａ）の植栽設備の断面図。
【図３】（ａ）は第２実施例の植栽コンテナの平面図、（ｂ）は同図（ａ）の植栽コンテナの正面図、（ｃ）は同図（ａ）の植栽コンテナのＡ−Ａ矢視断面図。
【図４】（ａ）は第２実施例の植栽コンテナによる植栽設備の平面図、（ｂ）は同図（ａ）の植栽設備の断面図、（ｃ）は同図（ａ）の植栽設備で用いる連結部材の斜視図。
【図５】（ａ）は第２実施例の植栽コンテナの水平片が無い側壁の連結孔近傍を内側から視た状態を示す斜視説明図、（ｂ）は同図（ａ）の連結孔近傍を外側から視た状態を示す斜視説明図、（ｃ）は第２実施例の植栽コンテナの水平片が有る側壁の連結孔近傍を内側から視た状態を示す斜視説明図、（ｄ）は同図（ｃ）の連結孔近傍を外側から視た状態を示す斜視説明図。
【図６】（ａ）、（ｂ）は第２実施例の植栽コンテナの連結孔に連結部材を装入する状態を内側から視た状態を示す斜視説明図、（ｃ）、（ｄ）は第２実施例の植栽コンテナの連結孔に連結部材を装入する状態を外側から視た状態を示す斜視説明図。
【図７】（ａ）、（ｂ）は別例の連結孔を示す部分縦断面図。
【図８】（ａ）、（ｂ）は別例の連結部材を連結孔に装入する状態を示す連結孔近傍の部分縦断説明図。
【図９】更なる別例の連結孔に連結部材を装入する状態を示す連結孔近傍の部分縦断説明図。
【図１０】（ａ）、（ｂ）は更なる別例の連結部材を植栽コンテナに取り付ける状態を示す一部断面正面説明図。
【図１１】並設する植栽コンテナを隅部で連結する植栽設備の例を示す平面説明図。
【図１２】（ａ）、（ｂ）は薄肉部を有する連結部材の例を示す斜視図。
【符号の説明】
【００２４】
１００  植栽コンテナ
１０１  底板
１０２  側壁
１０２ａ  内向きへこみ部
１０３  支持脚
１０４  通水兼通気孔
１０５  水平片
１０５ａ  薄肉部
１０６  育成材
１０７  植物
１０８  連結孔
１０８ａ  突出部
１０８ｂ  上端開口
１０８ｃ  下端開口
１０８ｄ  内壁
１０９  切欠部
１１０  連結部材
１１０ａ  上板
１１０ｂ  側片
１１０ｃ  係止爪
１１０ｄ  水平凸部
１１０ｆ  突出部
１１０ｇ  突起
１１０ｈ  溝
２００  敷設面
【図１】
2007167018.tif 000003
【図２】
2007167018.tif 000004
【図３】
2007167018.tif 000005
【図４】
2007167018.tif 000006
【図５】
2007167018.tif 000007
【図６】
2007167018.tif 000008
【図７】
2007167018.tif 000009
【図８】
2007167018.tif 000010
【図９】
2007167018.tif 000011
【図１０】
2007167018.tif 000012
【図１１】
2007167018.tif 000013
【図１２】
2007167018.tif 000014